(57)【特許請求の範囲】
【請求項１】
媒体のデータを受付けて入力設定する入力装置において、
画像情報を画面に表示する画像情報表示手段と、
前記画面にセットされた媒体の画像情報を読取る画像情報読取り手段と、
前記画面における媒体のセット位置を前記画面に案内表示する案内表示手段と、
画像情報読取り手段の読取り領域を画面に表示する読取り領域表示手段と、
前記画面をタッチ操作することで入力操作をするタッチ入力手段と、
前記画面のタッチ操作位置を前記画面に案内表示するタッチ位置表示手段とを備えたことを特徴とする
入力装置。
【請求項２】
前記読取り領域の領域外の画面を操作案内領域に設定して、操作者に操作案内を行う操作案内表示手段を備えたことを特徴とする
請求項１記載の入力装置。
【請求項３】
前記媒体の種類を入力する入力手段と、
媒体の種類に応じて、前記読取り領域と前記操作案内領域を変更する領域変更手段とを備えたことを特徴とする。
請求項２記載の入力装置。
【請求項４】
カードを発行するカード発行手段と、
顧客が記載するための帳票を発行する帳票発行手段と、
顧客により記載された帳票を機器内に回収するための帳票回収通路とを備えたことを特徴とする
請求項１〜３いずれかに記載の入力装置。
【発明の詳細な説明】
【０００１】
【発明の属する技術分野】
この発明は、顧客の要請する契約カードを自動的に発行する自動契約機で情報を入力するような入力装置に関し、さらに詳しくは入力操作性の向上に加えて装置の小型化を図った入力装置に関する。
【０００２】
【従来の技術】
以下、自動契約機を例にとって説明すると、この自動契約機は顧客が免許証や健康保険証等の身分を証明する証明媒体や申請用紙を定位置にセットすると、これを自動的に受付けて読取り判定し、有効性を確認すれば契約成立して顧客が要請した契約カードを発行している。このように、顧客が要請する契約カードを無人対応して自動的に発行するため、顧客自身で操作が完結し、係員の窓口業務の省力化が図れ、また顧客へのサービス性を高めている。
【０００３】
しかし、この自動契約機は、証明媒体や申請用紙を読取るスキャナ装置が、装置本体と別々に独立して配置されているため、この自動契約機の全体構成が大型化し、また配置スペースを大きくとってしまう。一方、顧客に対しては、分離配置された両装置を個別に使用するため、装置の取扱い順序や取扱い操作に戸惑いやすく、また証明媒体や申請用紙を誤セットして読取るなど取扱い操作に手間取る問題を有していた。
【０００４】
【発明が解決しようとする課題】
そこでこの発明は、読取り装置を分離せず、装置本体に効率よく組込んで一体化構成することにより、装置の小型化および取扱い操作の簡易化を図った入力装置の提供を目的とする。
【０００５】
【課題を解決するための手段】
この発明は、媒体のデータを受付けて入力設定する入力装置において、画像情報を画面に表示する画像情報表示手段と、前記画面にセットされた媒体の画像情報を読取る画像情報読取り手段と、前記画面における媒体のセット位置を前記画面に案内表示する案内表示手段と、画像情報読取り手段の読取り領域を画面に表示する読取り領域表示手段と、前記画面をタッチ操作することで入力操作をするタッチ入力手段と、前記画面のタッチ操作位置を前記画面に案内表示するタッチ位置表示手段とを備えた入力装置であることを特徴とする。
【０００６】
すなわち、画像情報表示手段の画面に案内表示手段で案内表示された媒体のセット位置に媒体をセットして、画像情報読取り手段で媒体の画像情報を読取る。そして、同一画面のタッチ入力手段で、タッチ操作による入力操作を行う。
【０００７】
実施の形態として、読取り領域の領域外の画面を操作案内領域に設定して、操作者に操作案内を行う操作案内表示手段を備えることができる。
【０００８】
実施の形態として、媒体の種類を入力する入力手段と、媒体の種類に応じて、前記読取り領域と前記操作案内領域を変更する領域変更手段とを備えることができる。
【０００９】
実施の形態として、カードを発行するカード発行手段と、顧客が記載するための帳票を発行する帳票発行手段と、顧客により記載された帳票を機器内に回収するための帳票回収通路とを備えることができる。
【００１０】
【発明の効果】
この発明によれば、一つの画面の入力装置に媒体読取り機能と入力機能と表示機能とを持たせて接客操作部を一体化した単体構成にしてあるため操作性の向上が図れ、しかも媒体を読取りセットする位置と、入力位置および接客案内する表示位置とを同位置に配設して、装置の小型化および配置スペースの縮小化を図ることができる。
【００１１】
また、顧客は同位置で表示案内を見ながら媒体を読取りセットおよび入力操作できるため、適切な操作案内を受けながら終始円滑に取扱い操作することができ、顧客の取扱い操作の戸惑いを確実に解消して操作時間の短縮および顧客に対するサービス性の向上が図れる。
【００１２】
【実施例】
この発明の一実施例を以下図面に基づいて詳述する。
図１は顧客の契約カードを自動的に発行する自動契約機１１を示し、この自動契約機１１は上部前面に撮像窓１２と、カード発行口１３と、入力操作面１４と、押圧ホルダ１５と、申込書／契約書発行口１６と、接客テーブル１７および筆記トレー１８とを備えて構成される。
【００１３】
図２は自動契約機１１の内部構造を示し、この自動契約機１１は前面の撮像窓１２と対応する内部位置にテレビカメラ２１を内蔵して顧客を撮像許容し、前面のカード発行口１３と対応する内部位置にカード発行機２２を内蔵して作成した契約カードを発行する。
【００１４】
さらに、前面中央に形成される入力操作面１４は顧客の入力操作および視認角度に適した傾斜角度を有し、かつ横長の長方形に広くとって設け、この入力操作面１４で表示／入力／読取りを許容している。この入力操作面１４の内部位置にはタッチ入力兼用の表示器２３とスキャナ２４を内蔵し、表示器２３ではタッチ入力操作とセット操作とその操作内容を表示案内し、スキャナ２４では入力操作面１４上にセットされた免許証／健康保険証等の身分証明書２５あるいは申込書／契約書等の帳票２６の記載データを読取る。この読取り時には、入力操作面１４上にセットされた身分証明書２５や帳票２６を、上方より押圧ホルダ１５で押圧保持した状態で読取る。
【００１５】
また、入力操作面１４の下辺側には、読取った帳票２６を下方に引込んで回収する帳票回収通路２７を形成しており、この帳票回収通路２７の下方内端部を、接客テーブル１７の下面に形成した回収箱２８に接続して帳票２６を回収許容している。
【００１６】
さらに、申込書／契約書発行口１６の内部には、帳票放出通路２９を介して帳票収納部を備えたプリンタ３０を接続し、このプリンタ３０で契約内容を印刷し、また顧客の契約操作時に帳票収納部から申込書や契約書を発行する。
【００１７】
また、接客テーブル１７は筆記面に適した平板形を有して装置本体の前面より略水平に突出させ、またテーブル１７の下面に沿って同形状の回収箱２８を形成し、回収箱２８を単独で開閉許容してここに回収した帳票２６を係員により容易に取出せるようにしている。
【００１８】
さらに、回収箱２８を入力操作面１４の直ぐ下方の近傍位置に設けて、入力操作面１４と回収箱２８との間を短く設定しているため、この間を接続する帳票回収通路２７の通路長さの短縮が図れ、また入力操作面１４から回収箱２８への回収処理時間の短縮、あるいは回収箱２８から入力操作面１４への返却処理時間の短縮が図れる。
【００１９】
図３は入力操作面１４に身分証明書２５をセットするときの表示案内例を示し、これは身分証明に運転免許証を用いた場合で、しかも表面を読取った後に続いて裏面を読取るためのセット位置の表示案内であって、画面上には裏面のセット位置や確認動作を案内する文字案内表示３１と、置く位置を指定案内するセット位置指定案内表示３２と、免許証の裏面セット動作をアニメーションで流動的に案内する図形案内表示３３と、申込み取消しキー３４と、案内係員の顔写真表示３５と、確認キー３６を表示案内する。また、この表示案内と共に音声で運転免許証の裏面セット動作を確認案内用に出力案内する。
【００２０】
図４は健康保険証の裏面を読取るためのセット位置の表示案内であって、画面上には裏面のセット位置や確認動作を案内する文字案内表示４１と、置く位置を指定案内するセット位置指定案内表示４２と、健康保険証の裏面セット動作をアニメーションで流動的に案内する図形案内表示４３と、申込み取消しキー４４と、案内係員の顔写真表示４５と、確認キー４６を表示案内する。また、この表示案内と共に音声で健康保険証の裏面セット動作を確認案内用に出力案内する。
【００２１】
図５は契約書２６ａの一例を示し、この契約書２６ａには各種の契約内容５１…が記載されており、これを承認して氏名、住所の承認要項５２を記載するように設けている。また、この契約書２６ａの左上隅には、定位置にセットするときの向きや表裏を指定するためのセット方向指定矢印５３を明瞭に設けており、このセット方向指定矢印５３により入力操作面１４上への契約書２６ａのセット操作を容易にしている。また、この契約書２６ａに限らず、申込書にあっても同様にセット方向指定矢印を設けてセット操作を容易にしており、さらにこの矢印５３の表示に限らず、用紙の隅部を切欠いてセット方向や表裏を指定することもできる。
【００２２】
図６は大きさの異なる身分証明書２５や帳票２６のセット状態を示し、免許証２５ａや健康保険証２５ｂのような身分証明書２５の場合は、セット位置を入力操作面１４の左下隅を基準に位置決めしてセットし、申込書２６ｂや契約書２６ａのような帳票２６の場合は下縁を帳票回収通路２７に若干差込んで左端を基準に位置決めセットし、縦長の状態でセットする。この状態で押圧ホルダ１５を上方より押圧保持させて読取り動作を行わせる。
【００２３】
またこのとき、セット位置の右側には入力操作面１４が一定幅で露出し、この露出した入力操作面１４を活用してセット位置を案内する等の操作案内を表示することができる。
【００２４】
例えば、図７に示すように、帳票の初期セット時に、入力操作面１４の左側にセット位置指定案内表示７１と、帳票のセット動作をアニメーションで流動的に表す図形案内表示７２と、挿入セット方向表示７３との帳票のセット案内動作を表示案内し、右側に申込取消しキー７４と、帳票セット動作を案内する文字案内表示７５を表示する。このように、入力操作面１４の左側を読取り兼用の表示画面に利用し、右側を入力兼用の表示画面に有効利用することができる。
【００２５】
図８および図９は押圧ホルダ１５の押圧動作状態を示し、この押圧ホルダ１５は入力操作面１４に隣接する側部位置で待機し、この待機位置と入力操作面１４上との左右間を手動式の水平維持機構８１により移動自由に支持している。
【００２６】
この水平維持機構８１は、基板８２上に固定されたホルダ支点軸８３に連結アーム８４の下端部を回動自由に取付け、同アーム８４の上端部を押圧ホルダ１５の枢支軸８５に連結し、ホルダ支点軸８３を回動支点に押圧ホルダ１５を手動操作により左方向あるいは右方向に半円形の軌跡で動かすことにより、押圧ホルダ１５は略水平状態を維持して移動する。
【００２７】
またこの場合、押圧ホルダ１５に読取り対応用のスキャナ８６を内蔵すれば、入力操作面１４と反対面側で読取ることができ、このようにスキャナ８６を入力操作面１４と分離配設しても、入力操作面１４と同位置で表示／入力／読取り処理ができる。また、この他、帳票回収通路２７の入口部分にセット確認用スキャナ２４ａ（図２参照）を配設して帳票のセット確認や取込み時に読取り動作するように設けることができ、この場合は帳票セット時の差替え等の不正行為に対する検知性能を高めることができる。
【００２８】
図１０は入力操作面１４の積層構造を示し、上面層のタッチパネル１０１と、可動形のイメージセンサ１０２を内蔵する中間層のスキャナ２４と、下面層のＴＦＴディスプレイ（カラー液晶画面）１０３との三層構造で構成する。
【００２９】
タッチパネル１０１は超音波信号を利用してタッチ入力された位置を感知し、イメージセンサ１０２は、図１１にも示すように、入力操作面１４の全幅長さを有して入力操作面１４上の全領域をスキャンして読取り許容し、ＴＦＴディスプレイ１０３では操作内容を順次表示する。
【００３０】
また、図１２に示すように、イメージセンサ１０２は断面Ｖ字形を有する一方の傾斜内面側にＬＥＤアレイ１２１を備え、他方の傾斜内面側にセンサアレイ１２２を備えてＬＥＤアレイ１２１からの反射信号をセンサアレイ１２２が検知して身分証明書２５や帳票２６の記載データを読取っている。またこの場合、反射光の有無により被測定物の輪郭を検知できるため、帳票等の外形認識を検知でき、誤セットや位置ズレを容易に検知する。
【００３１】
図１３はイメージセンサ１０２の走査機構１３１を示し、この走査機構１３１は走査駆動モータＭ1 からの駆動伝達力をギャ１３２…およびプーリ１３３…を介して検知方向に掛渡したタイミングベルト１３４を回転駆動し、このタイミングベルト１３４にイメージセンサ１０２の一端を取付け、かつイメージセンサ１０２の両側をタイミングベルト１３４と同方向に平行する左右のガイドレール１３５，１３６で摺動許容して検知方向に支持している。
【００３２】
ところで、タッチパネル１０１はパネル平面方向に沿って超音波を発信し、この超音波信号を利用してパネル上にタッチ入力された位置を感知する構成のため、図１４に示すように、入力操作面１４の左側は押圧ホルダ１５で保持された読取り面となり、右側は顧客が指先１４１でタッチ入力可能に露出した入力兼用の表示画面となるが、このときタッチ入力した位置を超音波特性を利用した超音波信号により押圧ホルダ１５の押圧力に拘らず確実に特定できるため、同一画面上でデータを読取りながら入力操作させることができ、処理能力の高い入力操作面１４を形成することができる。
またこの場合、押圧ホルダ１５は硬質材等の超音波非干渉部材で形成して、超音波信号に支障のないように配慮している。
【００３３】
図１５は帳票回収通路２７を示し、この帳票回収通路２７は内方に沿って入口側からシャッタ１５１と帳票保持ローラ１５２とストッパ１５３とフラッパ１５４とをこの順に配設して内方の回収箱２８に接続している。
【００３４】
また、この帳票回収通路２７上に第１〜第３検知センサＳ1 〜Ｓ3 を配設して帳票２６の搬送状態を検知確認し、さらにこの帳票回収通路２７とフラッパ１５４の位置で交差する帳票放出通路２９上にも第４検知センサＳ4 を配設して帳票２６の搬送状態を検知確認する。また、両通路２７，２９は通路駆動モータＭ2 の駆動に基づいて搬送駆動される。
【００３５】
例えば、帳票２６の受付け時は、帳票回収通路２７の入口側のシャッタ１５１と帳票保持ローラ１５２を開口し、ストッパ１５３を閉鎖した状態で受付け待機し、このストッパ１５３の位置でセット時に差込まれた帳票の下端を位置規制して入力操作面１４上への受付けセットが完了する。この受付けセット完了後はセットされた帳票２６の記載データを読取り、読取ったデータの審査を合格すれば帳票の収納動作に移って内方に取込み処理し、回収箱２８の入口部分を一時回収部２８ａに設定して、ここで一旦待機させる。このとき、取消したり内容に修正があれば、これより逆送して返却処理する。
【００３６】
また、申込書や契約書を発行する時は、両通路２７，２９交差位置のフラッパ１５４を切換えて帳票放出通路２９を開放する。
【００３７】
図１６は自動契約機１１の制御回路ブロック図を示し、ＣＰＵ１６１はＲＯＭ１６２に格納されたプログラムに沿って各回路装置を制御し、その制御データを読出し可能にＲＡＭ１６３で記憶する。
【００３８】
通路搬送処理部１６４は、通路駆動モータＭ2 、シャッタ１５１、帳票保持ローラ１５２、ストッパ１５３、フラッパ１５４をＯＮ／ＯＦＦして帳票回収通路２７と帳票放出通路２９を駆動し、帳票回収通路２７では帳票２６を回収箱は２８に取込み／返却処理し、帳票放出通路２９では申込書や契約書を放出処理する。
【００３９】
通信処理部１６５は、自動契約機１１の使用状態を遠隔位置で監視する係員端末機１６６と通信接続し、この通信接続された係員端末機１６６は自動契約機１１で顧客が自動契約したときの情報を受信し、これを係員が遠隔監視して顧客自身による無人の自動契約操作を遠隔位置から促進する。
【００４０】
図１７は係員端末機１６６の表示器１７１で表示した監視画面を示し、この監視画面には顧客が契約時に書込んだ内容を部分的に切出して表示する。例えば、住所、氏名等の記載に不備がないかを切出して係員がチェックする。また、このチェックには画像表示だけでなく、印刷出力させてもよく、これによりスキャナの読取り異常を解消して安定した入力操作を促進させる。
【００４１】
このように構成された自動契約機１１の全体の処理動作を図１８のフローチャートを参照して説明する。
今、顧客が無人化コーナに設置された自動契約機１１を使用して契約カードの発行を要請する場合、先ず、顧客は本人を照合確認するための身分証明書２５を入力操作面１４にセットして読取り動作させ、本人を照合確認する（顧客ステップｎ1 ）。
【００４２】
このとき、係員が係員端末機１６６の表示データから本人を確認すると（係員ステップｏ1 ）、
自動契約機１１は次に申込書を発行し、この申込書に顧客が規定の契約内容を記載し、記載後に申込書を入力操作面１４の定位置にセットすると、申込内容の読取りが行われる（顧客ステップｎ2 〜ｎ3 ）。
【００４３】
読取ったデータは係員端末機１６６に送信され、このデータから係員が申込み内容を確認すると審査に移り、その審査結果を折返し回答する（係員ステップｏ2 〜ｏ4 ）、
この審査結果が適正であれば、契約取引が成立するため続いて契約書２６ａを発行し、この契約書２６ａに顧客の要請する契約内容を記入させ（顧客ステップｎ4 〜ｎ6 ）、
契約書の記入が全て完了して入力操作面１４の読取り位置にセットすると（顧客ステップｎ7 ）、
その契約内容が係員側で確認され（係員ステップｏ5 ）、
適切であれば、プリンタ３０で契約事項を印刷して顧客に契約書控えと契約カードとを発行して一契約操作が終了する（顧客ステップｎ8 〜ｎ9 ）。
【００４４】
次に、身分証明書２５を用いた証明処理動作を図１９および図２０のフローチャートを参照して説明する。
今、顧客が自動契約するに先立って、入力操作面１４では顧客本人を証明する利用書類の選択を表示案内し、顧客が免許証２５ａを選択指定すると（顧客ステップｎ11〜ｎ12）、
入力操作面１４は免許証２５ａのセット位置を表示案内し、また健康保険証２５ｂを選択指定した場合は健康保険証２５ｂのセット位置を表示案内する（顧客ステップｎ13〜ｎ14）。
【００４５】
この表示案内に従って身分証明書２５を定位置にセットし、そのデータの読取りを開始すべく確認入力がなされると、そのセットされた身分証明証２５のデータを読取り動作する（顧客ステップｎ15〜ｎ16）。
【００４６】
このとき適正にセットされているか、また画像に異常がないかを確認する。例えば、免許証２５ａの場合であれば、その特徴となる罫線を抽出してセット位置の適否を判定する（顧客ステップｎ17〜ｎ18）。
【００４７】
不適と判定すれば再読取りを行わせ（顧客ステップｎ19）、
適正であれば、図１７に示すように、特定の切出したデータを係員端末機１６６に送信して本人の照合確認を要請し（顧客ステップｎ20〜ｎ21）、
係員端末機１６６側から本人を確認する適正な回答が得られると、この身分証明書２５による証明確認処理が終了する。このとき、不適と判定された場合は、再確認画面を表示案内して本人を確認するための操作を再操作させる（顧客ステップｎ22〜ｎ23）。
【００４８】
一方、係員端末機１６６側にあっては、自動契約機１１側から切出された身分証明２５のデータを受信すると（係員ステップｏ11）、
そのデータを係員端末機１６６の表示器１７１に表示出力させ、これを係員が見てチェックし、また必要であれば印刷出力させて視認し（係員ステップｏ12〜ｏ13）、
これに基づいて係員が適否を判断し、適正であれば了承して次の申込書発行処理に移行し、不適であれば再読取り操作を行わせる（係員ステップｏ14〜ｏ16）。
【００４９】
次に、申込書２６ｂ受付け時の処理動作を図２１および図２２のフローチャートを参照して説明する。
上述した身分証明書２５を証明確認することに基づいて自動契約機１１から自動的に申込書２６ｂが発行され、この発行された申込書２６ｂの記入欄に、顧客の要請する契約内容を書込む。
【００５０】
この書込み完了した申込書２６ｂの読取りセット位置を入力操作面１４で表示案内し（顧客ステップｎ31）、
これに従って顧客が申込書２６ｂを定位置にセットして確認入力すると、そのセットされた申込書２６ｂのデータを読取り動作し（顧客ステップｎ32〜ｎ33）、
このとき位置ズレせずに適正にセットされているか、また画像に異常がないかを確認し（顧客ステップｎ34〜ｎ35）、
不適と判定すれば再読取りを行わせ（顧客ステップｎ36）、
適正であれば、図１７に示すように、特定の切出したデータを係員端末機１６６に送信して、申込書２６ｂの適否状態の内容確認を要請する（顧客ステップｎ37〜ｎ38）。
【００５１】
係員端末機１６６側から申込書２６ｂに対する適正な回答が得られると、この申込書２６ｂの受付けを終了する。このとき、不適と判定された場合は、その不適な原因、例えば未記入、誤字、脱字等の回答データに基づいて再確認画面を表示案内して再操作させる（顧客ステップｎ39〜ｎ40）。
【００５２】
一方、係員端末機１６６側にあっては、自動契約機１１側から切出された申込書２６ｂのデータを受信すると（係員ステップｏ31）、
そのデータを係員端末機１６６の表示器１７１に表示させて係員がチェックし、また必要であれば印刷出力させて視認し（係員ステップｏ32〜ｏ33）、
これを係員が見て適正か否かを判断し、適正であれば了承して次の契約書発行処理に移行し、不適であれば再読取り操作を行わせる（係員ステップｏ34〜ｏ36）。
【００５３】
この申込書２６ｂの受付けが完了すると、続いて自動契約機１１は契約書２６ａを発行し、この契約書に顧客の要請する契約内容を書込ませた後、申込書２６ｂと同手順で契約書をセットして読取り動作および契約書内容を審査し、この審査合格時に契約内容を印字した控え契約書を発行すると共に、顧客の要請する契約カードを発行する。このように、全て顧客自信で入力操作して契約カードを得ることができる。
【００５４】
ところで、契約操作時に用いられた申込書２６ｂや契約書２６ａは回収箱２８に回収して保管し、また契約操作途中では記入欄の修正および契約取消し可能に帳票２６を返却許容して待機させている。このような帳票２６の回収処理動作を図２３のフローチャートを参照して次に説明する。
【００５５】
今、入力操作面１４は、身分証明が終了して帳票待機画面を表示している。この帳票待機画面は帳票２６のセット位置を表示案内し、これに従って顧客が帳票をセットして、確認キーをタッチ入力すると（顧客ステップｎ41〜ｎ42）、
帳票２６の下縁部を帳票保持ローラ１５２が挟持固定し、また帳票２６の上部側を押圧ホルダ１５で押圧保持させて帳票の読取りに適した固定保持状態を維持させる（顧客ステップｎ43〜ｎ44）。
【００５６】
この帳票２６を固定保持した状態でスキャナ２４により読取り開始し、読取りが終了すると（顧客ステップｎ45〜ｎ46）、
帳票の固定を解除して、帳票を内方に取込み、一時回収部２８ａの位置で一時待機させる（顧客ステップｎ47〜ｎ48）。
【００５７】
この待機状態で同帳票２６の読取りデータを係員端末機１６６に伝送し、係員端末機１６６からの回答情報に修正等の異常検出がなければ、一時回収部２８ａに一時待機させている帳票２６を内方の回収箱２８の定位置に完全に取込んで回収完了する（顧客ステップｎ49〜ｎ51）。
【００５８】
これに対し、係員端末機１６６からの回答情報に未記入、誤字、脱字のような修正の要請があれば、一時回収部２８ａに待機させている帳票２６を逆送して元の入力操作面１４上の位置に戻して返却し、この返却した帳票２６に再記入した後、再セットするように表示案内する（顧客ステップｎ52〜ｎ53）。
【００５９】
上述のように、一つの自動契約機に読取り機能と入力機能と表示機能とを持たせて入力操作面を一体化した単体構成にしてあるため操作性の向上が図れ、しかも身分証明書や帳票を読取りセットする位置と、入力位置および接客案内する表示位置とを入力操作面上の同位置に配設して装置の小型化および配置スペースの縮小化を図ることができる。
【００６０】
また、顧客は同位置で表示案内を見ながら身分証明書や帳票を定位置に読取りセットさせ、また同時に入力操作できるため、その内容に応じた適切な操作案内を受けながら終始円滑に取扱い操作をすることができ、顧客の取扱い操作時に戸惑いによる遅延操作が確実に解消されて、操作時間の短縮および顧客に対するサービス性が向上する。
【００６１】
この発明と、上述の一実施例の構成との対応において、
この発明の入力装置は、実施例の自動契約機１１に対応し、
以下同様に、
媒体は、免許証２５ａや健康保険証２５ｂのような身分証明書２５と、契約書２６ａや申込書２６ｂのような帳票２６とに対応し、
画像情報読取り手段、案内表示手段、読取り領域表示手段、読取り領域変更手段、読取り方向表示手段は、入力操作面１４、表示器２３およびこれらを制御するＣＰＵ１６１に対応し、
画像情報読取り手段は、イメージセンサ１０２を内蔵するスキャナ２４に対応し
判定手段は、ＣＰＵ１６１の判定処理機能に対応し、
押圧手段は、押圧ホルダ１５に対応するも、この発明は上述の一実施例の構成のみに限定されるものではない。
【図面の簡単な説明】
【図１】この発明の自動契約機の外観斜視図。
【図２】この発明の自動契約機の内部構成図。
【図３】この発明の運転免許証の裏面セット状態を示す案内表示図。
【図４】この発明の健康保険証の裏面セット状態を示す案内表示図。
【図５】この発明の契約書の一例を示す概略説明図。
【図６】この発明の入力操作面の各種媒体のセット状態を示す案内表示図。
【図７】この発明の帳票の初期セットの操作案内状態を示す案内表示図。
【図８】この発明の押圧ホルダの押圧動作状態を示す説明図。
【図９】この発明の押圧ホルダの押圧動作状態を示す要部斜視図。
【図１０】この発明の入力操作面の積層構造を示す要部拡大縦断面図。
【図１１】この発明の入力操作面のスキャナの走査状態を示す要部斜視図。
【図１２】この発明のイメージセンサの読取り原理を示す縦断面図。
【図１３】この発明のイメージセンサの走査機構を示す要部分解斜視図。
【図１４】この発明の読取り動作と入力動作との左右位置の併用処理動作を示す説明図。
【図１５】この発明の帳票回収通路を示す要部縦断面図。
【図１６】この発明の自動契約機の制御回路ブロック図。
【図１７】この発明の係員端末機の表示器に出力された監視画面の一例を示す表示図。
【図１８】この発明の自動契約機の全体の処理動作を示すフローチャート。
【図１９】この発明の身分証明証の取扱い処理動作を示すフローチャート。
【図２０】この発明の図１９に続くフローチャート。
【図２１】この発明の申込書の取扱い処理動作を示すフローチャート。
【図２２】この発明の図２１に続くフローチャート。
【図２３】この発明の帳票の回収処理動作を示すフローチャート。
【符号の説明】
１１…自動契約機
１４…入力操作面
１５…押圧ホルダ
２１…テレビカメラ
２２…カード発行機
２３…タッチ入力兼用の表示器
２４，８６…スキャナ
２４ａ…セット確認用スキャナ
２５…身分証明書
２５ａ…免許証
２５ｂ…健康保険証
２６…帳  票
２６ａ…契約書
２６ｂ…申込書
２７…帳票回収通路
２９…帳票放出通路
３０…プリンタ
３１，４１，７５…文字案内表示
３２，４２，７１…セット位置指定案内表示
３３，４３，７２…図形案内表示
５３…セット方向指定矢印
７３…挿入セット方向表示
１０１…タッチパネル
１０２…イメージセンサ
１０３…ＴＦＴディスプレイ
１６１…ＣＰＵ
１６６…係員端末機
１７１…係員端末機の表示器
【図１】
0003548813.tif 000002
【図２】
0003548813.tif 000003
【図３】
0003548813.tif 000004
【図４】
0003548813.tif 000005
【図５】
0003548813.tif 000006
【図６】
0003548813.tif 000007
【図７】
0003548813.tif 000008
【図８】
0003548813.tif 000009
【図９】
0003548813.tif 000010
【図１０】
0003548813.tif 000011
【図１１】
0003548813.tif 000012
【図１２】
0003548813.tif 000013
【図１３】
0003548813.tif 000014
【図１４】
0003548813.tif 000015
【図１５】
0003548813.tif 000016
【図１６】
0003548813.tif 000017
【図１７】
0003548813.tif 000018
【図１８】
0003548813.tif 000019
【図１９】
0003548813.tif 000020
【図２０】
0003548813.tif 000021
【図２１】
0003548813.tif 000022
【図２２】
0003548813.tif 000023
【図２３】
0003548813.tif 000024